(57)【要約】角度位置決め手段（３５）と係合している歯付き修正歯車（３３、３４）が、表示部材の段階的駆動部材（１４、１５）を標準時間帯表示器歯車（１９、２０）に運動学的に連結しており、前記修正歯車の歯部（３４）が、修正ロッカ（３６）の復元ばね（３７）の撓み解放に対応している、前記ロッカの休止位置において、修正ロッカ（３６）の駆動指（３６ａ）と係合しており、修正ロッカ（３６）をそれの別の極限位置に持ち込むための、修正ロッカ（３６）によって描かれる軌道が、前記修正歯車（３４）の歯の一つを経由してとおり、このロッカ（３６）が一旦それの別の極限位置に移動したら、この歯がその初期角度位置の中に置き直されるようにこの軌道が選択されていて、前記復元ばねの撓み解放によるロッカのその休止位置への復帰が、前記修正歯車の前記歯部の一ステップ分の駆動を、前記駆動指（３６ａ）に引き起こさせる。
2004505259.tif 000002
【特許請求の範囲】
【請求項１】
０から１２の時間表示と、分表示と、標準時間帯表示と、ＡＭ／ＰＭ表示と、表示器（２３、３９）と、段階的駆動部材（６、１４、１５）と、ロッカ（３６）とを具備している計時器であって、前記標準時間帯表示が、互いに１８０°離れた二つの標準時間帯に位置している二つの地理的場所についてのもので、前記時間表示によって表示された時間に対応しており、前記ＡＭ／ＰＭ表示が、太陽と子午線との交差に先行する時間と後続する時間とを区別するためのものであり、前記表示器（２３、３９）が、表示された二つの標準時間帯のどちらかに対して、時間が子午線の交差前か交差後かの時間であることを指し示すためのものであり、前記段階的駆動部材（６、１４、１５）が、前記時間表示とＡＭ／ＰＭ表示との可動要素（７、１６）のためのものであり、前記ロッカ（３６）が、時間表示、標準時間帯表示、及びＡＭ／ＰＭ表示の同時の修正のためのものであって、二つの極限位置の間で移動可能であり且つ前記極限位置の一つに復元ばね（３７）によって保持されるロッカ（３６）である計時器において、角度位置決め手段（３５）と係合している修正歯車（３３、３４）が、前記段階的駆動部材（１４、１５）を標準時間帯表示器歯車（１９、２０）に運動学的に連結していて、前記修正歯車の歯部（３４）が、前記ロッカの復元ばね（３７）の撓み解放に対応している前記ロッカの休止位置において、前記修正ロッカ（３６）の駆動指（３６ａ）と係合していて、ロッカ（３６）をこの休止位置からロッカ（３６）の他の極限位置の中へもってくるための、このロッカ（３６）により描かれる軌道が、前記修正歯車（３４）の歯の一つを通過していて、このロッカ（３６）が一旦それの別の極限位置に移動したら前記歯がその初期角度位置の中に置き直されるようにこの軌道が選択されていて、前記復元ばねの撓み解放による、このロッカのこの別の極限位置から前記休止位置への復帰が、前記修正歯車の前記歯部（３４）の一ステップ分の駆動を前記駆動指（３６ａ）によって引き起こさせることを特徴とする計時器。
【請求項２】
前記修正歯車が、標準時間帯変更処理中以外は、前記段階的駆動部材と、係合していないことを特徴とする請求項１に記載の計時器。
【請求項３】
前記修正歯車が、互いに結合された二つの同心のピニオン（３３、３４）を具備しており、一方が、前記段階的駆動部材（６、１４、１５）と運動学的に連結されていて、もう一方が、前記標準時間帯表示の可動部材（１９）と、前記表示器（３９）の可動部材（２３）とに運動学的に連結されていて、前記表示器（３９）の前記可動部材（２３）が、表示された二つの標準時間帯のどちらかのために、時間が子午線の交差前か交差後かの時間であることを指し示すためのものであることを特徴とする請求項１または２に記載の計時器。
【請求項４】
前記修正ロッカ（３６）が、作動ロッカ（３８）によって作動されることを特徴とする請求項１〜３のいずれか一項に記載の計時器。
【発明の詳細な説明】
【０００１】
本発明は、０〜１２の時間表示と、分表示と、互いに１８０°離れた二つの標準時間帯に位置している二つの地理的場所についての標準時間帯表示で前記時間表示によって表示された時間に対応している標準時間帯表示と、太陽と子午線との交差に先行する時刻と後続する時間とを区別するためのＡＭ／ＰＭ表示と、表示された二つの標準時間帯のどちらかに対して時間が子午線の交差の前若しくは後の時間であることを指し示すための標識と、前記時間表示とＡＭ／ＰＭ表示の可動要素のための段階的駆動部材と、二つの極限位置の間を移動することができて前記極限位置の一つに復元ばねによって保持されている、時間表示と標準時間帯表示とＡＭ／ＰＭ表示との同時修正のためのロッカとを具備している計時器である。
【０００２】
人が自分自身を見出すところの標準時間帯の機能として選択的に時刻を表示するための機構にはいくつかの種類がある。即ち、仏国特許第２７５２６２８号（ＦＲ２７５２６２８）が、このタイプの携帯時計に関係しており、そこにおいて時間は、針と、様々な都市の地方時間に一致する時間を二十四時間スケールで表示する円盤との両方によって表示される。様々な標準時間帯の代表的都市が回転円盤に載せられている。ある標準時間帯から他の標準時間帯に進むために使うことが意図されている修正機構が、２４時間円盤と、都市表示と時間信号とを載せている標準時間帯円盤とに、各々の修正毎に都市円盤と時間円盤とを一回転の１／２４回転させるような方法で連結している。
【０００３】
そのようなシステムは、２４時間円盤と対応する都市とを調べることによって、地球上の様々な都市の地域時間を確認することを可能にする。そのような表示モードの欠点の一つが、世界のほとんどの国において、特に英語を話している全ての国において、人々は１日の時間を２４時間で数えることには慣れていないという事実から生じる。更に他の国では一般的に、普通の語法は、例えば１４時よりも午後２時の方をより容易に話すので、２４時間スケールで時間を表示する携帯時計は、たとえそれが理解できるものであっても、広く標準的な表示を提供しない。
【０００４】
２４の標準時間帯への分割のために角度スペースがわずか１５度であり、そのため携帯時計の場合には、それぞれの標準時間帯に属する都市の表示が非常に圧縮されるので表示を非常に小さな文字で書かねばならず、それ故表示を読むことが難しいという事実から他の欠点が生じる。
【０００５】
しかしながら、公知のシステムの主要な欠点が、修正機構から本質的に生ずる。特に標準時間帯を変更するとき、時間表示と標準時間帯表示とを移動させるために修正押し具を押すことが必要である。公知の機構における運動学的リンクは、歯車とレバーによって得られている。修正は、修正押し具に作用している圧力が、二つの表示器、即ち時間及び標準時間帯に関する表示器を同時に修正することが意図された運動学的連鎖の全てを駆動するように作られているロッカを直接的に制御することにより起きる。
【０００６】
修正は、作動状態において可能ではあっても確実に不適当であり、二つの表示器の一つだけが修正されそして全体としては標準時間帯における時間表示に間違いを引き起こすことがある。もしそのような間違いが生じたなら、そのとき標準時間帯修正押し具を介してその間違いを修正することは不可能である。人はその時、巻き上げ・時間設定棒を介して間違いを修正することを余儀なくされ、そのため押し具による迅速な修正の利点が失われる。この間違いは、実際、修正押し具を不完全に押すことから生ずる。特に、押し具の行程から直接的に生ずる修正では、時々使用者が同時の修正を発生させるのに十分な圧力を作用させないことが常におこり得る。このリスクが小さいとしても、巻き上げ棒を介する以外に間違いを修正することができない限り、前記修正は不都合な帰結を有している。
【０００７】
本発明の目的は、少なくとも部分的に、上述の欠点を修正することである。
【０００８】
従って、本発明の主題は、請求項１で規定されるような、上述のタイプの計時器である。
【０００９】
この発明による解決法の本質的な利点は、修正が修正押し具に加えられた圧力から直接的に生じないで、修正が、復元ばねを撓ませることを媒介として、そしてこのばねを撓ませることが完了した場合に限って実現される、即ち修正ロッカの指が、この指が係合している、表示の可動要素を駆動するための段階的駆動部材の歯部から外されてこの歯部の歯を通り過ぎる場合に実現されるという点にある。押し具上の圧力が不完全であって、ロッカの指が、表示の可動要素の段階的駆動のためのこの部材の歯を通り過ぎなかった場合には、復元ばねは、駆動部材を駆動することなく撓みが解放されて、どのような修正も行われることがない。この場合、使用者は、修正が為されなかっとことに直ぐ気付き、使用者は修正が実行されるように押し具を更に下に押すことを必要とするだけである。従って、修正押し具の作動の後に、時間表示と標準時間帯表示との間の偶発的なずれが発生することはありえない。
【００１０】
他の利点が、時間が１２時間スケールで表示され、１８０°離れた二つの標準時間帯が同時に表示され、そしてＡＭ／ＰＭ表示と、これらＡＭ／ＰＭ表示が関係する標準時間帯を指し示す表示器とが、２４時間スケールに頼る必要なしに時間指示の読み取りにおけるどのような間違いをも避けることを可能にするという点にある。
【００１１】
本発明の主題である計時器機構の実施例を図式的に一例として示している添付図面を参照して、以下の説明を行う。
【００１２】
図１に描かれた計時器は、在来の作動機構１を具備しており、グリニッジ標準時表示機構のプレート２が、前記作動機構１の上に載せられそしてねじ３で保持されている。携帯時計作動機構１は、通例のごとく、筒ピニオン４及び分歯車５を具備している分部品群をもっている。携帯時計作動機構本体部の他の部分は、全く在来型のものであるので、それが本発明の一部を形作らない限り、及びその理解についての必要性がない限りにおいて記述される必要はない。分歯車５のピニオン５ａと、時針７（図２）を載せている時間歯車６との間の連結は、分歯車５ａのピニオン５ａと噛み合っている歯車８（図１）によって生み出され、前記歯車８の上には円盤９がねじ１０によって固定されている。この円盤９は、つめ１１を載せており、つめ１１は、時間歯車６の下に固定されているピニオン１３の十二の歯の星形歯部の中にばね１２によって押し付けられている（図３）。分部品群４、５と時間歯車６との間のこの連結によって、時間歯車６が、この部品群から標準時間帯の変更の間に分離されて、修正の瞬間に時間歯車６が占めていた角度位置に復帰して、標準時間帯の変更後に３０°の倍数ずつずらされることが可能であるが、これに対して他の点では時間歯車６は分部品群４、５、５ａによって普通に駆動される。
【００１３】
図３に示されるように、時間歯車６は、駆動指１４ａを載せている歯車１４と噛み合っており、前記駆動指１４ａは、歯車１４の一回転毎に、つまり十二時間毎に、ＡＭ／ＰＭ（太陽と子午線との交差の前と後の時間をそれぞれ意味する省略形）を交互に表示する円盤１６を載せている星形歯車１５（図７）と噛み合い状態になる。これらの表示は、ダイヤル１８の開口１７（図２、８〜１０）に現れそして十二時間ごとに替わる。
【００１４】
これまでに説明された、時間若しくは時間の派生物の全ての表示は、その結果携帯時計の標準的な分部品群４、５、５ａに運動学的に連結されている。それらはもし必要とするなら在来の時刻設定機構（本書では説明若しくは図示しない）を媒介して完全に標準的なやり方で修正することが可能である。
【００１５】
更に説明される計時器は、二つの追加的表示を具備しており、前記二つの追加的表示は両方とも分部品群４、５、５ａから独立しているが、標準時間帯の修正の間は時針７及びＡＭ／ＰＭ円盤１６に運動学的に連結されている必要がある。このことは、内歯１９ａを備えた環状体１９を含んでおり、前記環状体１９の上には、二十四の標準時間帯を代表する様々な都市名を載せた環状体２０が固定されており、前記都市名は、同心の二つのリングに沿って配置されている。外側及び内側のリングの正反対の都市は、ダイヤル１８の、十二時と向かい合って、もしくは六時に、それぞれ配置された二つの開口２１、２２の中にそれぞれ現れる（図２）。内側リングの都市から１８０°離れて位置を定められている、外側リングの都市は、１８０°離れた二つの標準時間帯に在り、その結果時針７によって指示される時間は、二つの都市の一方に関して子午線と太陽との交差前の時間と、二つの都市の他方に関して子午線と太陽との交差後の時間に該当する。環状体１９の表面に突き出ている駆動ペグ１９ｂの存在を挙げることが更にふさわしく、そして駆動ペグ１９ｂの機能は後で説明される。
【００１６】
表示ＡＭ、ＰＭが、二つの都市のどちらに関係しているかを確定するために、矢印２３ａを載せた円盤からなる表示器が、軸２４に回動可能に取り付けられている。この円盤の下面は、ジャンパー２６によって位置を定められる星形歯部２５を持ったピニオンに連結される。同様に、円盤１６に連結された星形歯ピニオン１５がジャンパー２７によって位置を定められる（図７）。
【００１７】
環状体１９は、その外縁がローラー２９に係合した状態でプレート２の上をガイドされる。この環状体１９の内側歯部１９ａはピニオン２８と噛み合っており（図４）、又この歯部１９ａは、ばね３１によって力を与えられたジャンパー３０によって位置を定められている。ピニオン２８は、ピニオン３３と噛み合っているピニオン３２に同心で結び付けられており、前記ピニオン３３は、ジャンパー３５によって位置を定められている修正星形車３４（図３〜７）に同心で結び付けられている。この修正星形車３４は、時間歯車６と噛み合う状態になることが意図されている。しかしながら図３に示されるように、特に修正星形車３４がジャンパー３５によって位置を定められたとき、修正星形車３４の歯は、時間歯車６の歯の軌道の外にあり、その結果、時間歯車６は自由に回転することが可能である。
【００１８】
図３及び図５〜７に図示されるように、修正星形車３４は修正ロッカ３６と係合しており、修正ロッカ３６は、復元ばね３７と、押し具（図示されない）によって制御される作動ロッカ３８と両方に係合している。休止位置では、修正ロッカ３６は図５に示される位置を占めており、その位置で修正ロッカ３６の駆動指３６ａが、修正星形車３４の歯に係合されている（図３及び５）。
【００１９】
携帯時計の普通の作動の間、時針７と分針ｍ（図２）は普通に回転し、十二時間と六十分でそれぞれ一回転する。時針７と時針７を載せている時間歯車６とが一回転するたびに、歯車１４とその駆動指も一回転し、その結果ＡＭ／ＰＭ円盤を載せている星形歯車１５が一段階駆動される。ダイヤル１８の開口１７に現れるＡＭまたはＰＭ表示は、これらの表示が円盤１６の上で交互に配置されているので、変化する。１８０°離れて位置する二つの標準時間帯にある二つの都市が、開口２１と２２とで視認できるということを考えれば、矢印２３ａが、開口３９をとおして現れ（図２、８〜１０）、そして開口１７に出現するＡＭまたはＰＭ表示が開口２１または２２に表示されている都市のどちらに関係しているかを指し示す。
【００２０】
標準時間帯が変わらない間は、開口２１、２２および３９に出現する表示も変わらず、ただＡＭ、ＰＭ表示が十二時間ごとに替わるということが明らかである。
【００２１】
環状体２０によって担持されている文字を観察することにより気付かれるかもしれないが（図２）、表示されている都市は、ロンドンに続くノウメア（Ｎｏｕｍｅａ）、及び正反対のアゾレス（Ａｚｏｒｅｓ）に続くフィジーを例外として、隣接する標準時間帯に従って配置されていて、前記ロンドンとノウメア又はアゾレスとフィジーはそれぞれ１８０度離れた標準時間帯にある。
【００２２】
我々はここで、十二のゾーンに分けられているこれら標準時間帯の間の移行がどのように生ずるかについて図５〜７、及び図５〜７に示されている修正段階の間の様々な表示状態をそれぞれ示している図８〜１０を参照して説明する。
【００２３】
図５は、停止状態における機構を示しており、全ての星形歯ピニオン１５、２５、３４と歯部１９ａがそれぞれのジャンパー２６、２７、３０及び３５によって位置決めされている。その時、開口１７、２１、２２、及び３９に現れる表示は、図８に描かれている。作動ロッカ３８を押すことにより、修正ロッカ３６が、図５に描かれたその休止位置から図６に描かれた第二極限位置まで動かされる。図５の位置から図６の位置へ動かされるのと同時に、修正ロッカ３６の駆動指３６ａはその行程の最後で修正星形車３４の歯と接触し、その結果駆動指３６ａは、この星形車３４をそのステップの一部分だけわずかに移動させる。指３６ａが通り過ぎた後、図６でわかるように、ジャンパー３５が修正星形車３４をその初期位置に戻す。修正ロッカ３６のこの行程の間に、復元ばね３７が撓ませられる。図６で修正ロッカ３６の行程の最後でその駆動指３６ａが、修正星形車３４の歯の直ぐ後にあることが観察できるが、前記駆動指は、その行程中にその休止位置から図６に描かれているその別の極限位置へ移動させられたものである。
【００２４】
作動ロッカ３８に作用される圧力が、修正ロッカ３６を図６に描かれた位置に持ってくるためには不十分であったと仮定すると、このロッカ３６の駆動指３６ａはその時、図６で描かれているように修正星形車３４の歯の後ろに置かれることはなく、この歯の前に置かれる。作動ロッカ２８に作用している圧力が解消されることにより、その時復元ばね３７が、どんな修正も引き起こすことなしに修正ロッカ３６を図５に描かれた位置に戻す。
【００２５】
修正が生ずることを可能とするためには、したがって修正ロッカ３６が図６に描かれた位置に達することが必要である。このときに、作動ロッカ３８が解放された場合、復元ばね３７は、撓みを解放して、修正ロッカ３６を駆動する。そして駆動指が、修正星形車３４とそれに結び付けられている同軸ピニオン３３とを修正星形車３４の一ステップ分だけ進ませる。図７が、この動きの間の機構を図解しており、図９が各種の表示の対応する状態を示している。
【００２６】
矢印Ｆの方向に６０°だけ回転した修正星形車３４は、時間歯車６を矢印Ｆ１の方向に３０°だけ進ませる。歯車１４は、時間歯車６と１／１の比になっており、その駆動指１４ａも矢印Ｆ２の方向に３０°だけ回転する。この修正が、太陽と子午線との交差の寸前で行われる場合には、駆動指１４ａが、ＡＭ／ＰＭ円盤１６を矢印Ｆ３の方向に星形歯車１５の一ステップ分だけ進ませる。つめ１１及びばね１２によって、時間歯車６が、分針ｍを動かすことなしに、分部品群４、５、５ａ（図１）に対して動くことが可能である。
【００２７】
時間の修正と同時に、修正星形車３４に結び付けられたピニオン３３がピニオン３２を進ませる。噛み合い比は、ピニオン３３が矢印Ｆの方向に６０°だけ進むとき、ピニオン３２が矢印Ｆ４の方向に９０°だけ進むように選択されていて、その結果ピニオン２８が歯付き環状体１９を矢印Ｆ５の方向に３０°だけ進ませる。
【００２８】
ここに記述された標準時間帯の変更が、ノウメア帯からロンドン帯へ移行するのと同時に十二の標準時間帯を飛び越えるということであれば、歯付き環状体１９の表面から突き出ているペグ１９ｂが、歯付き環状体１９の矢印Ｆ５の方向へのこの動きの間に、矢印２３ａを載せている円盤２３の縁と遭遇する。この円盤２３の縁はノッチ２３ｂをもっており、ペグ１９ｂは、このノッチ２３ｂによって円盤２３と係合状態になることができ、そして円盤２３を駆動することができ、その結果開口３９の中の矢印２３ａの方向を変える。図８及び１０で多分理解されるように、開口３９の中の矢印の方向は、ノウメア／アゾレス帯からロンドン／フィジー帯へ移行するのと同時に、反対になる。このことは、図８におけるＰＭ表示はアゾレスを指示しており、その結果同時にノウメアの時間が太陽と子午線との交差前の時間に該当していることを示している。ノウメア帯からロンドン帯へ移ることが、一つではなく十二の標準時間帯を含むということを考えると、開口３９に現れている矢印２３ａは、反対になって、時針７により表示されている時間についてのＡＭ／ＰＭ表示がもはや下開口２２には関係しないが上開口２１に関係していることを示している。
【００２９】
開口３９に現れている矢印２３ａのこの修正は、十二の標準時間帯に相当するこの移行の間にのみ生じる。歯付き環状体１９は、この目的のためにペグ１９ｂの他は何も載せていない。他の全ての場合では、変更は一時間の変更に相当し、故に時針７だけが３０°だけ動かされる。もし時針が１１時と１２時との間にあるなら、ＡＭ／ＰＭ円盤１６も動かされることとなり、そして同時に歯付き環状体１９とこの歯付き環状体１９に結び付けられた都市名環状体２０が、３０°だけ進んで、１８０°離れた二つの別の都市の表示を開口２１、２２に現す。
【図面の簡単な説明】
【図１】図１は、この実施例の表示機構の分解斜視図である。
【図２】図２は、ダイヤルと針とをもった図１の表示機構の組立斜視図である。
【図３】図３は、一部の部品を除去して部分的に組み立てられた表示機構の斜視図である。
【図４】図４は、部品を除去して部分的に組み立てられた表示機構の別の斜視図である。
【図５】図５は、修正手順の一つの段階における、表示機構の部分平面図である。
【図６】図６は、修正手順の一つの段階における、表示機構の部分平面図である。
【図７】図７は、修正手順の一つの段階における、表示機構の部分平面図である。
【図８】図８は、図５によって図示された修正段階中の表示の平面図である。
【図９】図９は、図６によって図示された修正段階中の表示の平面図である。
【図１０】図１０は、図７によって図示された修正段階中の表示の平面図である。
【国際公開パンフレット】
2004505259.tif 000003
2004505259.tif 000004
2004505259.tif 000005
2004505259.tif 000006
2004505259.tif 000007
2004505259.tif 000008
2004505259.tif 000009
2004505259.tif 000010
2004505259.tif 000011
2004505259.tif 000012
2004505259.tif 000013
2004505259.tif 000014
2004505259.tif 000015
2004505259.tif 000016
2004505259.tif 000017
2004505259.tif 000018
2004505259.tif 000019
2004505259.tif 000020
2004505259.tif 000021
2004505259.tif 000022
2004505259.tif 000023
2004505259.tif 000024
2004505259.tif 000025
【国際調査報告】
2004505259.tif 000026
2004505259.tif 000027
2004505259.tif 000028
2004505259.tif 000029